(57)【要約】【課題】遮断器の動作回数を計測する動作カウンターに加わる衝撃力を抑制し、操作機構の信頼性を向上させる。【解決手段】開路バネの蓄勢、放勢状態を表示する回転自在の放蓄表示カム１と、一方端が放蓄表示カム１の外周に沿って回動するマイクロスイッチ駆動レバー３と、マイクロスイッチ駆動レバー３の他方端に連結された連結リンク６と、連結リンク６に連結された遮断器の開閉回数を計測する動作カウンター７とを備え、動作カウンター７を放蓄表示カム１の回転により動作させ、動作カウンター７に伝播する衝撃力を抑制することを特徴とする。【選択図】  図１
2014107184.tif 000002
【特許請求の範囲】
【請求項１】
開路バネの蓄勢、放勢状態を表示する回転自在の放蓄表示カムと、
一方端が前記放蓄表示カムの外周に沿って回動するマイクロスイッチ駆動レバーと、
前記マイクロスイッチ駆動レバーの他方端に連結された連結リンクと、
前記連結リンクに連結された遮断器の開閉回数を計測する動作カウンターと、
を備えたことを特徴とする遮断器の操作機構。
【請求項２】
前記連結リンクに弾性部材を設けたことを特徴とする請求項１に記載の遮断器の操作機構。
【発明の詳細な説明】
【技術分野】
【０００１】
本発明の実施形態は、開閉回数を計測する動作カウンターの信頼性を向上し得る遮断器の操作機構に関する。
【背景技術】
【０００２】
従来、真空遮断器のような遮断器には、開閉回数を計測する動作カウンターが設けられている。これは、開閉操作時に操作機構の各部に大きな衝撃力が加わるので、開閉回数を把握し、疲労劣化などによる故障を事前に防ぐためである。開閉操作には、大きな操作力を有する閉路バネや開路バネが用いられ、開閉速度の向上が図られている（例えば、特許文献１参照。）。
【０００３】
動作カウンターは、一般的にトリップキャッチに連結されたリンク機構で動作するようになっている。これは、トリップキャッチが開路バネと簡素なリンク機構で連結されており、開路バネの動作回数を、直接、動作カウンターで計測できるためである。なお、複雑なリンク機構を介して間接的に動作カウンターを動作させると、計測の信頼性が低下する。このため、動作カウンターにも大きな衝撃力が加わり、疲労劣化などを起こし、故障率が上がることになる。動作カウンターが不動作などを起こせば、操作機構の全体の信頼性を低下させることになる。
【先行技術文献】
【特許文献】
【０００４】
【特許文献１】特開２００５−６３８６３号公報
【発明の概要】
【発明が解決しようとする課題】
【０００５】
本発明が解決しようとする課題は、遮断器の開閉回数を計測する動作カウンターに加わる衝撃力を緩和し、操作機構全体の信頼性を向上させた遮断器の操作機構を提供することにある。
【課題を解決するための手段】
【０００６】
上記課題を解決するために、実施形態の遮断器の操作機構は、開路バネの蓄勢、放勢状態を表示する回転自在の放蓄表示カムと、一方端が前記放蓄表示カムの外周に沿って回動するマイクロスイッチ駆動レバーと、前記マイクロスイッチ駆動レバーの他方端に連結された連結リンクと、前記連結リンクに連結された遮断器の開閉回数を計測する動作カウンターと、を備えたことを特徴とする。
【図面の簡単な説明】
【０００７】
【図１】本発明の実施例１に係る遮断器の操作機構の構成を示す要部説明図。
【図２】本発明の実施例２に係る遮断器の操作機構の構成を示す要部説明図。
【発明を実施するための形態】
【０００８】
以下、図面を参照して本発明の実施例を説明する。
【実施例１】
【０００９】
先ず、本発明の実施例１に係る遮断器の操作機構を図１を参照して説明する。図１は、本発明の実施例１に係る遮断器の操作機構の構成を示す要部説明図である。なお、各部のピンで白抜きは可動ピン、斜線入りは固定ピンを示す。
【００１０】
図１に示すように、開路バネの放勢、蓄勢状態を表示する放蓄表示カム１は、固定ピン２により反時計方向に回転自在に操作機構の固定部材に固定されている。放蓄表示カム１には、円状の外周に段差部１ａが設けられている。放蓄表示カム１の図示上方向には、Ｚ字状のマイクロスイッチ駆動レバー３が固定ピン４を支点として回動自在に固定されている。マイクロスイッチ駆動レバー３の一方端は、放蓄表示カム１の外周に接しており、段差部１ａの頂点に達したとき、マイクロスイッチ５をＯＦＦするようになっている。マイクロスイッチ５は、開路バネを蓄勢するモーターを入り切りするものである。
【００１１】
マイクロスイッチ駆動レバー３の他方端には、板状の連結リンク６を介して動作カウンター７が連結されている。連結部には、動作距離を調整する調整部３ａが設けられている。また、マイクロスイッチ駆動レバー３の一方端を放蓄表示カム１側に押付けるように付勢した復帰バネ８が設けられている。
【００１２】
放蓄表示カム１の図示下方向には、一方端が回動自在の主軸９に固定された板状のメインレバー１０が設けられている。メインレバー１０の他方端には、リンク１１が連結され、固定ピン１２を支点として回動するトリップキャッチ１３の一方端に当接するようになっている。トリップキャッチ１３の他方端には、回動自在のトリップピン１４が係止されている。トリップピン１４には、固定ピン１５を支点として回動する三角状のトリップレバー１６が当接している。トリップレバー１６は、遮断指令で動作する電磁スイッチや手動操作により動作する。
【００１３】
なお、主軸９は、真空バルブ１７の可動軸に連結されており、開閉操作が行われる。また、従来では、トリップレバー１０やリンク１１に、直接、動作カウンターが連結されている。
【００１４】
これにより、トリップレバー１６が動作すると、トリップキャッチ１３が回動し、開路バネのバネ力によりメインレバー１０が回動して真空バルブ１７を１ｍ／ｓｅｃ以上の高速で開路させることができる。開路動作後、直ちに前記モーターが動作し、開路バネを蓄勢する。蓄勢に合わせて放蓄表示カム１が回転し、段差部１ａの頂点がマイクロスイッチ駆動レバー３の一方端に達したとき、マイクロスイッチ５が動作し、モーターがＯＦＦする。同時に、動作カウンター７が動作する。その後、図示のように、マイクロスイッチ駆動レバー３の一方端が段差部１ａの頂点から外れ、底部に位置し、次の開路指令を待機する状態となる。
【００１５】
このような動作により、放蓄表示カム１は低速回転するので、動作カウンター７には、過大な衝撃力が加わることがなく、連結リンク６などの各部材の疲労劣化を防ぐことができる。即ち、開路バネの蓄勢状態を表示する放蓄表示カム１の回転に連動させて動作カウンター７を動作させているので、開路バネのバネ力を直接、受けることがなく、動作カウンター７の計測信頼性を向上させることができる。なお、マイクロスイッチ駆動レバー３や連結リンク６を板状とし、中間部に複数の孔を設けて構成すれば、軽量化を図ることができる。
【００１６】
上記実施例１の遮断器の操作機構によれば、放蓄表示カム１の回転により回動するマイクロスイッチ駆動レバー３の一方端に動作カウンター７を連結しているので、開路バネを放勢させた時の過大な衝撃力を、直接、動作カウンター７に加えることがなく、動作カウンター７の計測信頼性を向上させることができる。
【実施例２】
【００１７】
次に、本発明の実施例２に係る遮断器の操作機構を図２を参照して説明する。図２は、本発明の実施例２に係る遮断器の操作機構の構成を示す要部説明図である。なお、この実施例２が実施例１と異なる点は、連結リンクの構成である。図２において、実施例１と同様の構成部分においては、同一符号を付し、その詳細な説明を省略する。
【００１８】
図２に示すように、マイクロスイッチ駆動レバー３と動作カウンター７間は、ゴム、バネなど弾性部材１８を介した連結リンク６で連結されている。
【００１９】
上記実施例２の遮断器の操作機構によれば、動作カウンター７に加わる衝撃力を格段に抑制することができる。
【００２０】
以上述べたような実施形態によれば、遮断器の開閉回数を計測する動作カウンターに、開路バネの放勢により伝播される衝撃力を抑制することができ、故障率を低減させることができる。また、疲労劣化を確実に把握でき、操作機構全体の信頼性を向上させることができる。
【００２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
１  放蓄表示カム
３  マイクロスイッチ駆動レバー
５  マイクロスイッチ
６  連結リンク
７  動作カウンター
９  主軸
１０  メインレバー
１３  トリップキャッチ
１５  トリップピン
１７  真空バルブ
１８  弾性部材
【図１】
2014107184.tif 000003
【図２】
2014107184.tif 000004